(57)【要約】【課題】  脚部を有するフレーム上にキャビネットを据え付けるときに、フレームに対してキャビネットを容易に且つ精度よく位置決めして据え付け可能な脚部を有する厨房家具を提供する。【解決手段】  システムキッチン１は、脚部７を有するフレーム６上にキャビネット４が設置される。フレームは、キャビネットの平面視外形に対応する所定の平面視外形を有する本体部２０と、本体部に上方に突出して取付けられた複数のピン２２と、本体部の下面に取付けられて床面上に設置される複数の脚部７とを有している。キャビネット底板には、複数のピンの平面視での配置位置に対応して複数の係合孔を形成し、キャビネットをフレーム上に据え付けるとき、キャビネットの各係合孔にフレームの各ピンがそれぞれ係合する。【選択図】    図３
2006296446.tif 000002
【特許請求の範囲】
【請求項１】
脚部を有するフレーム上にキャビネットが設置された厨房家具であって、
前記フレームは、前記キャビネットの平面視外形に対応する所定の平面視外形を有する本体部と、この本体部に上方に突出して取付けられた複数の突出部材と、前記本体部の下面に取付けられて床面上に設置される複数の前記脚部とを備え、
前記キャビネットの底板には、前記複数の突出部材の平面視での配置位置に対応して複数の係合孔を形成し、
前記キャビネットを前記フレーム上に据え付けるとき、このキャビネットの前記各係合孔にこのフレームの前記各突出部材がそれぞれ係合するようにしたことを特徴とする脚部を有する厨房家具。
【請求項２】
請求項１に記載の脚部を有する厨房家具であって、
前記突出部材は、前記フレームの前記本体部に固定されたピンであり、前記キャビネット底板の前記係合孔は、このピンの外径より若干大きめに形成されてこのピンとの相対的な位置ずれを吸収して係合可能になっていることを特徴とする脚部を有する厨房家具。
【請求項３】
請求項２に記載の脚部を有する厨房家具であって、
前記ピンは、前記キャビネットを据え付ける際の位置合わせガイドとしての機能と、前記フレームに前記キャビネットを固定する機能とを有し、据え付け時にはこの両機能を発揮することを特徴とする脚部を有する厨房家具。
【請求項４】
請求項１，２または３に記載の脚部を有する厨房家具であって、
前記フレームの前記本体部における少なくとも前記キャビネットとの接合部は、薄板により形成されるとともにこの薄板の全周縁部が平面視で前記キャビネットの外周面より外方に出ないように形成されていることを特徴とする脚部を有する厨房家具。
【発明の詳細な説明】
【技術分野】
【０００１】
本発明は、脚部を有して台所に設置されるシステムキッチンなど厨房家具にかかり、特に、脚部を有するフレーム上にキャビネットが設置される厨房家具に関する。
【背景技術】
【０００２】
システムキッチンなど厨房家具のキャビネットは、台所などの床面に直接据え付けるのが一般的であるが、脚によりキャビネットを床面から持ち上げた状態で据え付ける場合もある。
たとえば、特許文献１（特開２００１−２９９４８３号公報）には、被取付単体（たとえば、キャビネット）に支持脚部を取付けて、被取付単体を支持する支持脚装置が提案されている。
一方、特許文献２（特開平１０−９９１５１号公報）には、台輪に脚を設け、この台輪上にシステムキッチンなどのキャビネットを載置するようにした台輪の構造が記載されている。
【０００３】
【特許文献１】特開２００１−２９９４８３号公報
【特許文献２】特開平１０−９９１５１号公報
【発明の開示】
【発明が解決しようとする課題】
【０００４】
特許文献１に記載の支持脚装置は、システムキッチンなど被取付単体に予め支持脚部を固定した状態で設置するようになっている。そのため、嵩張る被取付単体を引っ繰り返して、支持脚部を被取付単体に取付ける必要があり、据え付け作業が面倒で人手と時間が掛かっていた。
一方、特許文献２に記載の台輪は、複数の脚で支持された面板上にシステムキッチンなどのキャビネットを載置するようになっている。そのため、システムキッチンなどを据え付けるとき、キャビネットを引っ繰り返す必要はないが、台輪上の所定位置にキャビネットを位置決めするための配慮はなされていない。また、台輪本体は、強度を確保するために厚みのある木製板または軽量鋼材で形成され且つ目につきやすい場所にあるので、外観的に無骨な印象を与える傾向があった。
【０００５】
本発明は、このような課題を解決するためになされたもので、脚部を有するフレーム上にキャビネットを据え付けるときに、フレームに対してキャビネットを容易に且つ精度よく位置決めして据え付けることができる、脚部を有する厨房家具を提供することを目的とする。
【課題を解決するための手段】
【０００６】
上述の目的を達成するため、本発明にかかる脚部を有する厨房家具は、脚部を有するフレーム上にキャビネットが設置された厨房家具であって、前記フレームは、前記キャビネットの平面視外形に対応する所定の平面視外形を有する本体部と、この本体部に上方に突出して取付けられた複数の突出部材と、前記本体部の下面に取付けられて床面上に設置される複数の前記脚部とを備え、前記キャビネットの底板には、前記複数の突出部材の平面視での配置位置に対応して複数の係合孔を形成し、前記キャビネットを前記フレーム上に据え付けるとき、このキャビネットの前記各係合孔にこのフレームの前記各突出部材がそれぞれ係合するようにしている。
前記突出部材は、前記フレームの前記本体部に固定されたピンであり、前記キャビネット底板の前記係合孔は、このピンの外径より若干大きめに形成されてこのピンとの相対的な位置ずれを吸収して係合可能になっているのが好ましい。
前記ピンは、前記キャビネットを据え付ける際の位置合わせガイドとしての機能と、前記フレームに前記キャビネットを固定する機能とを有し、据え付け時にはこの両機能を発揮する。
前記フレームの前記本体部における少なくとも前記キャビネットとの接合部は、薄板により形成されるとともにこの薄板の全周縁部が平面視で前記キャビネットの外周面より外方に出ないように形成されているのが好ましい。
【発明の効果】
【０００７】
本発明にかかる脚部を有する厨房家具は、上述のように構成したので、脚部を有するフレーム上にキャビネットを据え付けるときに、フレームに対してキャビネットを容易に且つ精度よく位置決めして据え付けることができる。
【発明を実施するための最良の形態】
【０００８】
下記の実施例にかかる厨房家具では、脚部を有するフレームの本体部に複数の突出部材を上方に突出して取付け、キャビネットの底板には、複数の突出部材の平面視での配置位置に対応して複数の係合孔を形成し、キャビネットをフレーム上に据え付けるとき、キャビネットの各係合孔にフレームの各突出部材がそれぞれ係合するようにしている。
こうして、キャビネットを据え付けるときに、フレームに対してキャビネットを容易に且つ精度よく位置決めして据え付けることができるという目的を実現している。
【０００９】
本発明における厨房家具は、脚部を有するフレーム上にキャビネットが設置される構成を有しており、この厨房家具としては、台所に設置されるキッチン（たとえば、複合厨房家具の一種であるシステムキッチン）が通常であるが、洗面化粧台，収納庫または他の厨房家具であってもよい。下記の実施例では、いわゆる島形（アイランド形）のシステムキッチンの場合を示している。
【実施例】
【００１０】
以下、本発明にかかる一実施例を図１ないし図５を参照して説明する。
図１，図２，図３は、それぞれ本発明の一実施例にかかるシステムキッチンの斜視図，正面図，分解斜視図である。
図１ないし図３に示すように、厨房家具としてのシステムキッチン１は、脚部を有するフレーム６上にキャビネット４が設置され、カウンター部２にはシンク３が所定位置に設けられており、このシステムキッチン１に本発明が適用されている。
システムキッチン１は、島形（アイランド形）のキッチンで、台所の壁面から離れた位置に設置されるタイプのものであるが、変形例として、いわゆる半島型のキッチンや、壁面に寄せて設置される汎用タイプのキッチンであってもよい。。
なお、説明の便宜上、図１中の符号Ｄ1，Ｄ2，Ｄ3，Ｄ4を、それぞれシステムキッチン１の左方，右方，前方，後方として説明する。
【００１１】
システムキッチン１は、床面５上に設置される複数の脚部７を有するフレーム６と、フレーム６上に設置されるキャビネット４と、カウンター部２とを有している。
カウンター部２は、キャビネット４の上方に配置され、複数（ここでは、６本）の支柱８でキャビネット４と連結されている。カウンター部２は、ユーザーが調理などの作業を行うのに都合の良い高さ位置に水平方向に配置され、平面視で所定形状（ここでは、矩形状）をなす天板である。
カウンター部２の上面は調理台（ワークトップ１０）になっており、カウンター部２には、必要に応じて、シンク３に加えてコンロユニットやボールなどが設けられる場合もある。
【００１２】
カウンター部２の下方には、ステンレス製（たとえば、ＳＵＳ３０４製）のキャビネット４が配置されている。キャビネット４は、フレーム６に支持されて床面５に設置され、全体が矩形状をなしている。
フレーム６は、床面５上に設置される複数（たとえば、６本）の脚部７を有している。カウンター部２とキャビネット４は、縦方向に設けられた複数（たとえば、６本）の支柱８で連結されている。
キャビネット４は調理用具，食材などを内部に収納可能で、キャビネット４には食器洗い乾燥機９も取付けられ、システムキッチン１は、全体として複合厨房家具を構成している。
【００１３】
カウンター部２は、キャビネット４とは分離独立してその上部に配置され、カウンター部２の下面は外部に対して露出しているので、システムキッチン１における開放感が演出されている。
また、カウンター部２とキャビネット４を分離し、キャビネット４をフレーム６で支持しているので、システムキッチン１を含めた空間の広がりを損なうことがなく、湿気の籠もりやすい台所の雰囲気に対してシステムキッチン１の周囲の風通しを良くして常に清潔に保つことができる。特に、脚部７を有するフレーム６を用いたので、足下まわりの空間もすっきりと且つ広がり感をもって見せることができる。  
システムキッチン１では、カウンター部２がキャビネット４に対して分離独立しているが、カウンター部が、キャビネットと分離せずにキャビネットの上部を構成するいわゆるキャビネット形キッチン（または、キャビネット形システムキッチン）であってもよい。この場合には、支柱８が不要になる。
【００１４】
図４は、システムキッチン１のフレーム６の斜視図、図５は、図２のＶ部拡大断面図である。
図２ないし図５に示すように、脚部７を有するシステムキッチン１において、フレーム６は、キャビネット４の平面視外形（ここでは、矩形）に対応する所定の平面視外形（ここでは、矩形）を有する本体部２０と、本体部２０に上方に突出して取付けられた複数（ここでは、１２本）の突出部材としてのピン２２と、本体部２０の下面に取付けられて床面５上に設置される複数（ここでは、６本）の脚部７とを備えている。
キャビネット４の底板２３には、複数（ここでは、１２本）のピン２２の平面視での配置位置に対応して、複数（ここでは、１２個）の係合孔２４が形成されている。そして、キャビネット４をフレーム６上に据え付けるとき、キャビネット４の各係合孔２４にフレーム６の各ピン２２がそれぞれ係合する構成になっている。
その結果、フレーム６に対してキャビネット４を容易に且つ精度よく位置決めして、フレーム６上にキャビネット４を据え付けることができる。
【００１５】
フレーム６において、ステンレス製（たとえば、ＳＵＳ３０４製）の薄板２７（たとえば、板厚が約６mm）を所定形状に打ち抜くか、または細長い平板を組み合わせて溶接することにより、本体部２０の外周が所定の矩形状に形成されている。
すなわち、フレーム６は、キャビネット４の間口寸法（左右方向の寸法）Ｗ1と奥行寸法（前後方向の寸法）Ｂ1にそれぞれ対応した間口寸法Ｗ2と奥行寸法Ｂ2を有して平面視で矩形状に形成されている。
脚部７は、ステンレス製（たとえば、ＳＵＳ３０４製）の薄板（たとえば、板厚が約０.８mm〜１.２mm、または、板厚が約２mm）を折り曲げることにより、中空の断面矩形状（箱状）に一体形成されている。脚部７は、本体部２０の下面に溶接またはねじなど締結部材により一体的に固定されている。
なお、本体部２０と脚部７を、ステンレス製（ＳＵＳ３０４）の薄板でそれぞれ形成する場合を示したが、鉄板またはその他の金属板でそれぞれ形成する場合であってもよい。
【００１６】
ピン２２は、ＳＵＳ３０４などステンレス（または、その他の金属）製の棒材により形成され、本体部２０に溶接（または、接着剤）により一体的に固定されている。ピン２２は、キャビネット４を据え付ける際の位置合わせガイドとしての機能と、フレーム６にキャビネット４を固定する機能とを有し、据え付け時にはこの両機能を発揮することができる。
ピン２２の上端部にキャップ２８を装着することにより、キャビネット４の内部にピン２２が直接露出しないようにして安全や見栄えの向上を図っている。なお、ピン２２に装着されたキャップ２８をキャビネット底板２３に接着剤などで固着すれば、安定性およびキャップ２８の離脱防止の点で好ましい。
フレーム本体部２０に上方に突出して取付けられた突出部材として、フレーム本体部２０の上面２１に固定されたピン２２の場合を示しているが、突出部材は、係合孔２４と係合可能であればスタッドボルト（植込ボルト）などであってもよい。
【００１７】
キャビネット底板２３に形成された係合孔２４は、ピン２２の外径より若干大きめに形成され、ピン２２との相対的な位置ずれを吸収して係合可能になっている。これにより、各ピン２２の取付け位置や、キャビネット底板２３に対する各係合孔２４の形成位置などに誤差があって、ピン２２と係合孔２４との間に相対的な位置ずれがある場合でも、若干大きめの係合孔２４を形成すれば、前記相対的な位置ずれを吸収する。
したがって、全部のピン２２を係合孔２４に係合させて、キャビネット４をフレーム６上に容易に載置することができ、設置作業の負担が軽減される。
なお、フレーム６に設ける突出部材をピン２２の代りにスタッドボルトとし、キャビネット４をフレーム６に設置したのちナットをこのスタッドボルトにねじ込むようにすれば、キャビネット４を、スタッドボルトとナットを介してフレーム６に締結固定することができる。このようにすれば、地震時にキャビネット４などがフレーム６から離脱することがなく一体化するので好ましい。
【００１８】
フレーム６の本体部２０における、少なくともキャビネット４との接合部２５は、薄板２７により形成されるとともに、この薄板２７の全周縁部２６が、平面視でキャビネット４の外周面１２より外方に出ないように形成されている。
たとえば、接合部２５を構成する薄板２７の全周縁部２６が、キャビネット４の外周面１２より寸法ｄだけ内側に引っ込んでいる。その結果、フレーム６の本体部２０は、システムキッチン１の周囲から見えにくくなって、フレーム６自体で存在を主張しない構成になっている。
このようにすれば、フレーム６上にキャビネット４が載置されてシステムキッチン１が全体的に組み立てられた状態では、ユーザーがしゃがんでフレーム６の本体部２０を覗き込まない限りは、ユーザーからは本体部２０は見えない。
したがって、フレーム６を、外観的にほとんど目立たないすっきりした状態で配置することができる。すなわち、システムキッチン１は、その周囲全体がユーザーから良く見える島形のキッチンであるが、システムキッチン１の下方に位置するフレーム６がそれ自体で存在を主張しない構成なので、システムキッチン１の構成部材（カウンター部２，キャビネット４，支柱８，脚部７）の全体のデザイン的なバランスや調和感を乱すことがなく、外観上の見栄えがよい。
【００１９】
本体部２０における少なくとも接合部２５を薄板２７により形成したので、フレーム６は間口方向（左右方向）での強度が若干低下する恐れがある。これに対する対策として、本体部２０に補強材（図示せず）を設けてその強度を向上させるのが好ましい。
フレーム６は、据え付け作業に対する必要最小限の強度を有していれば、据え付け作業には支障がなく、また、フレーム６上にキャビネット４を設置した後は、キャビネット４などの自重は、本体部２０から脚部７に向けて垂直方向にかかるので、間口方向や前後方向に関する本体部２０の強度が問題になることはなく、システムキッチン１は、全体で十分な強度が確保される。
【００２０】
脚部７には、上下方向に移動可能なアジャスタ１１が内蔵されており、アジャスタ１１を操作（たとえば、正逆方向に回転させる操作）することにより、アジャスタ１１を介して、床面５に対する脚部７の長さ調節を行うことができるようになっている。
脚部７にアジャスタ１１を設けて、床面５に対する脚部７の長さ調節を行うようにしたので、フレーム６全体の水平出し作業を容易に行うことができる。
【００２１】
システムキッチン１を台所に設置する場合には、まず初めに、脚部７とピン２２とを有するフレーム６を所定位置に設置し、各脚部７に内蔵されたアジャスタ１１を操作し脚部７の長さ調節を行なって、本体部２０の上面２１の水平出しをする。
その後、フレーム６上にキャビネット４を載置する。このキャビネット４には、支柱８を介してカウンター部２が取付けられ、食器洗乾燥機９なども組み込まれている。このように各構成部材８，２，９などがあらかじめ組み込まれたキャビネット４を、フレーム６の真上に位置させた後、真下に向けてゆっくりと下降させる。
すると、フレーム６のピン２２が位置合わせガイドとしての機能を発揮して、各ピン２２とキャビネット４の各係合孔２４とがそれぞれ係合し、キャビネット４は、フレーム６の本体部２０の接合部２５に接合して載置される。本実施例では、重くて嵩張るキャビネット４などを引っ繰り返す必要がなく、設置作業が容易で且つ安全である。
【００２２】
フレーム６に複数のピン２２が上方に突出して取付けられているので、ピン２２とキャビネット底板２３の係合孔２４とを係合させれば、フレーム６に対してキャビネット４が必然的に精度よく位置決めされる。
このとき、係合孔２４は、ピン２２の外径より若干大きめに形成されて、ピン２２との相対的な位置ずれを吸収可能になっている。したがって、全部（ここでは、１２本）のピン２２に、これらピン２２にそれぞれ対応する１２個の係合孔２４がそれぞれ良好に係合することになり、キャビネット４の組み込み作業を容易に行うことができる。
こうして、フレーム６上にキャビネット４が設置された後、キャップ２８を、ピン２２の上部に被せるとともにキャビネット底板２３に接着剤などで固着すれば、フレーム６に対するキャビネット４の設置が完了する。
【００２３】
フレーム６の全体の素材をステンレスにしたので、外観上見栄えがよく、耐蝕性も良好で且つ十分な剛性を発揮する。特に、フレーム６の各構成部材２０，７，２２およびキャビネット４の素材を、同種金属であるＳＵＳ３０４にしたので、異種金属の電蝕による錆の発生を防止することができる。
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２４】
本発明は、本実施例のようにカウンター部がキャビネットから分離独立したシステムキッチンのほか、カウンター部がキャビネットの一部を構成するキャビネット形キッチン（または、キャビネット形システムキッチン）や、複合化されていないキッチンに適用する場合が多いが、応用例として、本発明は洗面化粧台や収納庫にも適用可能である。
【図面の簡単な説明】
【００２５】
【図１】図１ないし図５は本発明の一実施例を示す図で、図１はシステムキッチンの斜視図である。
【図２】前記システムキッチンの正面図である。
【図３】前記システムキッチンの分解斜視図である。
【図４】前記システムキッチンのフレームの斜視図である。
【図５】図２のＶ部拡大断面図である。
【符号の説明】
【００２６】
１    システムキッチン（厨房家具）
４    キャビネット
５    床面
６    フレーム
７    脚部
１２  外周面
２０  本体部
２２  ピン（突出部材）
２３  キャビネット底板
２４  係合孔
【図１】
2006296446.tif 000003
【図２】
2006296446.tif 000004
【図３】
2006296446.tif 000005
【図４】
2006296446.tif 000006
【図５】
2006296446.tif 000007